(57)【要約】【課題】  大型であってもスペースを有効活用できる仏壇を提供することを目的とする。【解決手段】  前方に向かって開放される本体部２と、本体部２の下側に設けられて、本体部２を支持する台部３とを備え、台部３の後部の内部に、金庫５が配設され、金庫５は、側方に向かって開口する開口部と、開口部を開閉する金庫扉体５２とを有し、台部３の側壁部３３に、開閉可能な側壁扉体３４が設けられ、側壁扉体３４を開放すると、金庫扉体５２が現れることを特徴とする仏壇。【選択図】  図３
0003108525.tif 000002
【実用新案登録請求の範囲】
【請求項１】
前方に向かって開放される本体部と、前記本体部の下側に設けられて、前記本体部を支持する台部とを備える仏壇において、
前記台部の後部の内部に、金庫が配設され、
前記金庫は、側方に向かって開口する開口部と、前記開口部を開閉する扉体（以下、金庫扉体と言う。）とを有し、
前記台部の側壁部に、開閉可能な扉体（以下、側壁扉体と言う。）が設けられ、
前記側壁扉体を開放すると、前記金庫扉体が現れる
ことを特徴とする仏壇。
【請求項２】
前記側壁扉体は、上端部を中心に回動させることにより略水平状態にして、前記内部に移動可能に構成されていることを特徴とする請求項１記載の仏壇。
【請求項３】
前記側壁扉体に止着部材が設けられ、前記金庫側に止着部が設けられ、前記側壁扉体を閉鎖すると、前記止着部材が前記止着部に止着されることを特徴とする請求項１または２記載の仏壇。
【請求項４】
前記側壁扉体は、施錠可能に構成されていることを特徴とする請求項１、２、または、３記載の仏壇。
【考案の詳細な説明】
【技術分野】
【０００１】
本考案は、仏壇に関し、特に、大型であってもスペースを有効活用できる仏壇に関する。
【背景技術】
【０００２】
仏壇には、大きく分けて、漆等で塗ってあり金箔を使用した金仏壇、黒檀や紫檀等を使用した唐木仏壇、洋室にも合う家具調仏壇の３種類がある。名古屋仏壇は、大型で金箔を多用した豪華な作りの金仏壇であり、台が高く、「まくり」と呼ばれる持ち上げ式の扉を台の前面に備えて、台の中に仏具等を収納可能であることを特徴としている。この名古屋仏壇は、従来、「みつまくり」と呼ばれるように、前面に３枚の「まくり」が並んで、前面から物の出し入れができるように構成されているが、側面は、「まくり」が２枚並んでいるように見えるものの、実際には「まくり」を備えず、側面からは物の出し入れができない構造とされていた。
【考案の開示】
【考案が解決しようとする課題】
【０００３】
しかし、仏壇をより大きく豪華にするため、例えば従来「まくり」２枚分であった奥行きを「まくり」３枚分とする等、仏壇の奥行きを深くした場合、従来のように台の前面から物を出し入れしようとすると、奥の方は物の出し入れが困難である。このため、仏壇の奥行きを深くした場合には、台の奥の方は収納部としては利用できず、スペースに無駄が出ていた。
【０００４】
この考案は、上述した問題を解決するものであり、大型であってもスペースを有効活用できる仏壇を提供することを目的とする。
【課題を解決するための手段】
【０００５】
本考案の仏壇は、前方に向かって開放される本体部と、本体部の下側に設けられて、本体部を支持する台部とを備え、台部の後部の内部に、金庫が配設され、金庫は、側方に向かって開口する開口部と、開口部を開閉する扉体（以下、金庫扉体と言う。）とを有し、台部の側壁部に、開閉可能な扉体（以下、側壁扉体と言う。）が設けられ、側壁扉体を開放すると、金庫扉体が現れることを特徴とする。
【０００６】
ここで、側壁扉体は、上端部を中心に回動させることにより略水平状態にして、台部の後部の内部に移動可能に構成されていること、すなわち、「まくり」とすることが好ましい。
【０００７】
また、側壁扉体に止着部材が設けられ、金庫側に止着部が設けられ、側壁扉体を閉鎖すると、止着部材が止着部に止着されることが好ましい。
【０００８】
さらに、側壁扉体は、施錠可能に構成されていることが好ましい。
【考案の効果】
【０００９】
本考案の仏壇によれば、台部の後部の内部に金庫が配設され、側壁扉体を開放すると金庫扉体が現れるので、側壁部から金庫に物を出し入れすることができ、奥行きの深い仏壇であっても、スペースを有効活用できる。また、側壁扉体を閉めれば金庫は外部から見えないので、見た目がよい。
【００１０】
そして、側壁扉体を「まくり」とすれば、側壁扉体を閉めたときに、側壁扉体が側壁部の他の部分に馴染んで目立たず、さらに見た目が良くなる。
【００１１】
また、側壁扉体を閉鎖すると、側壁扉体の止着部材が金庫側の止着部に止着されることとすれば、少しの力では側壁扉体が開かないので、側壁扉体が開放可能であることが分かりくい。このため、内部に金庫が設置されていることが分かりにくく、盗難に遭いにくい。
【００１２】
さらに、側壁扉体を施錠可能とすれば、セキュリティ性が向上する。
【考案を実施するための最良の形態】
【００１３】
以下、本考案の一実施形態を図面に基づいて説明する。
【００１４】
図１に示すように、仏壇１は、内部に位牌、仏像等が安置される本体部２と、本体部２の下側に設けられて、本体部２を支持する台部３とから構成されている。
【００１５】
本体部２は、筐体状に形成されて、開閉自在な扉体２１、２１を前壁部２２に備え、図１の２点鎖線で示すように扉体２１、２１を開くことにより、本体部２は前方に向かって開放される。
【００１６】
台部３は、空間部である内部が仕切られることにより、図２に示すように、台部３の中央部３８から前部３７にかけて形成される３つの収納部３５と、台部３の後部３９に形成される収納部３６とを備えている。各収納部３５は、前方に開口し、収納部３６は、両側方に開口している。収納部３５内には、必要に応じて、引出し等が設置される。
【００１７】
各収納部３５の開口部３５１は、台部３の前壁部３１に設けられた扉体３２によって開閉される。すなわち、台部３は、前壁部３１に３つの扉体３２を備えている。各扉体３２は、下端部を把持して、上端部を中心に上方に回動させる（すなわち、まくる）ことにより、図３の符号３２の２点鎖線で示すように略水平状態にすることができ、その状態で、図３の符号３２の実線で示すように、台部３の内部に移動させて収納することができる。逆に、扉体３２は、台部３の内部から引き出して、上端部を中心に下方に回動させることにより閉めることができる。すなわち、扉体３２は、所謂「まくり」とされている。
【００１８】
収納部３６の開口部３６１、３６１は、側壁部３３、３３の後部にそれぞれ設けられた側壁扉体３４によって開閉される。すなわち、台部３は、各側壁部３３の後部に側壁扉体３４を備えている。各側壁扉体３４も、図３に示すように、扉体３２と同様の「まくり」とされている。なお、側壁部３３、３３の前部及び中央部は、見た目は側壁部３３の後部と同様とされているが、側壁扉体３４は設けられてなく、開閉不能とされている。
【００１９】
収納部３６内、すなわち、台部３の後部３９の内部には、２つの金庫５が設置されている。各金庫５は、仏壇１に組み付けられて、取出し不可能とされている。各金庫５は、開口部５１と、開口部５１を開閉する施錠可能な金庫扉体５２とを有し、一方の金庫５は、開口部５１が仏壇１の左側に向かって開口するように、他方の金庫５は、開口部５１が仏壇１の右側に向かって開口するように設置されている。そして、金庫扉体５２、５２及び側壁扉体３４、３４を閉じた状態では、金庫扉体５２、５２の外側に側壁扉体３４、３４が配置されて、図３〜図５に示すように、側壁扉体３４を開放するとその内側に配設された金庫扉体５２が現れることとなる。
【００２０】
各金庫５は、例えば、所定の解錠用の番号と異なる番号が入力されたとき等、所定の操作と異なる操作がなされたときには、警報が鳴るように構成されている。
【００２１】
各側壁扉体３４は、裏面に磁石製の止着部材３４１を備えている。一方、各金庫５は、表面に金属製の止着部５３を備えており、図５の２点鎖線に示すように側壁扉体３４を閉じると、止着部材３４１は対応する止着部５３に止着される。なお、止着部材３４１を金属製、止着部５３を磁石製としてもよい。
【００２２】
以上のように構成された仏壇１では、側壁部３３に設けられた側壁扉体３４を開放することにより、金庫５の金庫扉体５２が現れ、その金庫扉体５２を解錠して開放することにより、金庫５に物を収納することができる。したがって、仏壇１では、奥行きを通常の「まくり」２枚分から「まくり」３枚分と深くしたにもかかわらず、台部３の奥の方も金庫５として利用でき、スペースを有効活用できる。
【００２３】
また、仏壇１では、金庫扉体５２を閉じて、側壁扉体３４を閉じることにより、金庫５は外部からは見えなくなる。したがって、仏壇１は、見た目がよく、金庫５の在り処が外部からは分からない。
【００２４】
さらに、側壁扉体３４は、閉鎖状態では止着部材３４１が止着部５３に止着されているので、扉体３２の場合よりも大きい力を加えなければ、まくれない。すなわち、側壁扉体３４は、少し持ち上げようとした程度ではまくれず、「まくり」になっていることが分かりにくい。したがって、内部に金庫５が設置されていることが分かりにくく、盗難に遭いにくい。なお、止着部５３は、金庫５自体に設けなくてもよく、金庫５側に設けられていればよい。
【００２５】
また、よりセキュリティ性を向上させるために、側壁扉体３４に錠を設けて、側壁扉体３４を施錠可能に構成してもよい。
【００２６】
また、金庫５は必ずしも２つ設けなくてもよく、金庫５、５のどちらか一方のみ設けることとしてもよい。そして、金庫５を１つとしたときには、その金庫５の開口部５１の向きに応じて、側壁部３３、３３のいずれか一方にのみ側壁扉体３４を設ければよい。
【００２７】
すなわち、実用新案登録請求の範囲を逸脱しない範囲で、本考案は種々の構成を採り得る。
【図面の簡単な説明】
【００２８】
【図１】本考案の一実施形態の仏壇の斜視図である。
【図２】図１の仏壇の台部の横断面図である。
【図３】図１の仏壇の要部斜視図であり、側壁扉体及び前壁部の左側の扉体を開いた状態の図である。
【図４】図１の仏壇の台部の側面図であり、側壁扉体を開いた状態の図である。
【図５】図４のＶ−Ｖ部位断面図である。
【符号の説明】
【００２９】
１…仏壇
２…本体部
３…台部
５…金庫
３３…側壁部
３４…側壁扉体
３９…後部
５１…開口部
５２…金庫扉体
【図１】
0003108525.tif 000003
【図２】
0003108525.tif 000004
【図３】
0003108525.tif 000005
【図４】
0003108525.tif 000006
【図５】
0003108525.tif 000007